(57)【特許請求の範囲】
【請求項１】
カード用ホルダーを、表側あるいは裏側のいずれか又は両側に取り付けた第１装飾用シートを畳み込んで収蔵し、該第１装飾用シートの表側に取り付けるカード用ホルダーには、該カード用ホルダーの周縁部分の前面に設けた周縁装飾用シートと、前記周縁部分の背面に塗布又は接合した取り付け材料を備え、裏側に取り付けるカード用ホルダーには、該カード用ホルダーの周縁部分の前面に取り付け材料を塗布又は接合し、且第１装飾用シート裏側のカード用ホルダー取り付け箇所の中央部分に、該カード用ホルダーに挿入したカードが表側から見える大きさの開口を設ける構造を備えた、左右頁からなる見開き体の見開き頁に、前記第１装飾用シートの周辺に配した第２装飾用シートと、ポップアップ機構とを共に畳み込んで収蔵し、前記カード用ホルダーを取り付けた第１装飾用シートと前記第２装飾用シートは、前記ポップアップ機構を介して前記見開き頁に連結させ、該見開き頁を開く動作で前記ポップアップ機構を作動させて、前記カード用ホルダーを取り付けた第１装飾用シートと前記第２装飾用シートとを立体状の空間構成態に形成する、多用途ポップアップ式見開き体。
【請求項２】
第１装飾用シートと、カード用ホルダーの周縁装飾用シートと、第２装飾用シートと、見開き頁の表面との、全て又はいずれかに、該見開き頁のカード用ホルダーに挿入するカードの内容を予測した演出用装飾を施した、請求項１に記載の多用途ポップアップ式見開き体。
【請求項３】
見開き体の左右頁の裏面に接着材料を塗布又は取り付けた複数の見開き体の左右頁を交互に貼り合わせるか、又は取り外し可能な圧入クリップ装具を用いて複数の見開き体の左右頁を交互に接合するかの、いずれかにより、見開き体を連接して冊子とする構造を有する、請求項１又は２に記載の多用途ポップアップ式見開き体。
【請求項４】
見開き体の見開き頁、もしくは見開き体を連接して構成した冊子の見開き頁を開いて形成させた立体状の空間構成態を、クリップ式又はバインダー式の保持装具を用いて保持し、陳列して、立体式カード展示体とする、請求項１〜３のいずれか1項に記載の多用途ポップアップ式見開き体。
【発明の詳細な説明】
【技術分野】
【０００１】
本発明は、ポップアップ式冊子に関する。
【背景技術】
【０００２】
従前のポップアップ式冊子は、収蔵した図柄を立体状の構成態に変化させ、鑑賞時に感動を喚起させる利点を持っている。
【特許文献１】特許公開平７−２２８０７８号公報
【特許文献２】特許公開２００３−７１１５１号公報
【特許文献３】登録実用新案第３０５５０１０号公報
【特許文献４】実用新案公開平７−４４１８４号公報
【特許文献５】登録実用新案第３１３１４５７号公報
【発明の開示】
【発明が解決しようとする課題】
【０００３】
しかしながら、従前のポップアップ式冊子は、主に収蔵した図柄を立体状の構成態にして鑑賞することに用途が限られ、図柄が変化しないことで飽きを生じ、内容を変えられないために利用者が創意を加えられない欠点があった。
【課題を解決するための手段】
【０００４】
本発明は、左右頁からなる多用途ポップアップ式見開き体の見開き頁にカード用ホルダーを備え、該カード用ホルダーに、写真、画像カード、文面シート等、のカード類を使用目的に沿って選択し組み合わせて挿入することで、多用途ポップアップ式見開き体の用途を拡げ、且つ挿入したカードを差し替えることで該多用途ポップアップ式見開き体の内容を更新していく。カード用ホルダーは、前記左右頁からなる多用途ポップアップ式見開き体の見開き頁に畳み込んで収蔵した第１装飾用シートの表側あるいは裏側のいずれか又は両側に取り付けられる構造を有し、表側に取り付けるカード用ホルダーには、該カード用ホルダーの周縁部分の前面に設けた周縁装飾用シートと、該周縁部分の背面に塗布又は接合した取り付け材料を備え、裏側に取り付けるカード用ホルダーには、該カード用ホルダーの周縁部分の前面に取り付け材料を塗布又は接合し、且第１装飾用シート裏側のカード用ホルダー取り付け箇所の中央部分に、該カード用ホルダーに挿入したカードが表側から見える大きさの開口を設ける構造をもたせる。前記多用途ポップアップ式見開き体の見開き頁には、前記カード用ホルダーを取り付けた第１装飾用シートと共に、該第１装飾用シートの周辺に配した第２装飾用シートと、ポップアップ機構とを、畳み込んで収蔵し、前記カード用ホルダーを取り付けた第１装飾用シートと前記第２装飾用シートは、前記ポップアップ機構を介して前記見開き頁と連結させておき、利用時に、前記見開き頁を開く動作で前記ポップアップ機構を作動させて、前記カード用ホルダーを取り付けた第１装飾用シートと前記第２装飾用シートとを立体状の空間構成態に形成する。第１装飾用シートと、カード用ホルダーの周縁装飾用シートと、第２装飾用シートと、見開き頁の表面との、全て又はいずれかに、該見開き頁のカード用ホルダーに挿入するカードの内容を予測した演出用装飾、例えば、誕生写真を予測し誕生を寿ぐ演出を表現した形状、図柄、彩色、文字、凹凸加工等、を施す。カードの挿入は、複数の多用途ポップアップ式見開き体の中から、選択したカードの内容に相応しい演出用装飾を備えた多用途ポップアップ式見開き体を選定し、該多用途ポップアップ式見開き体のカード用ホルダーにカードを挿入して用いる。該カードは、鑑賞時、閲覧時に前記見開き頁を開けると、前記カードを挿入したカード用ホルダーの周縁装飾用シートと該カード用ホルダーを取り付けた第１装飾用シートと第２装飾用シートとに施した演出用装飾と共にポップアップし、演出用装飾を施した前記見開き頁を背景にした立体状の空間構成態として鑑賞、閲覧をすることができる。多用途ポップアップ式見開き体は、該多用途ポップアップ式見開き体一体としての用途のほかに、多用途ポップアップ式見開き体の左右頁の裏面に接着材料を塗布又は取り付けた複数の多用途ポップアップ式見開き体の裏面を交互に貼り合わせるか、又は取り外し可能な圧入クリップ装具を用いて複数の多用途ポップアップ式見開き体の左右頁を交互に接合するかの、いずれかにより、複数の多用途ポップアップ式見開き体を自由に連接した冊子を構成して、立体式の冊子としての用途を拡げる。さらに一体の多用途ポップアップ式見開き体の見開き頁、もしくは前記多用途ポップアップ式見開き体を連接した前記冊子の見開き頁を開いて形成した立体状の空間構成態を、クリップ式又はバインダー式の保持装具を用いて、保持、陳列して、立体式カード展示体としての用途を拡げる。上記により、前項の課題を解決するものである。
【発明の効果】
【０００５】
本発明の多用途ポップアップ式見開き体は、利用者が選択した写真、画像カード、文面シート等の各種カードを挿出入できるカード用ホルダーを備えることにより、利用者の意図による用途の設定と拡大が可能となり、且つカードを入れ替えることで多用途ポップアップ式見開き体の内容を更新することもできる。さらに該多用途ポップアップ式見開き体に収蔵したカードは、該カードの鑑賞時、閲覧時には周囲の演出用装飾と共に立体状の空間構成態となって眼前に飛び出して来て、鑑賞者、閲覧者にダイナミックな感動を与える。前記多用途ポップアップ式見開き体の主要な用途としては、カード用ホルダーに写真を挿入すると立体式写真帳に成り、もしくは写真等のカードに加えてメッセージの文面シートをそれぞれカード用ホルダーに挿入すると立体式グリーティングカードに成る。さらに多用途ポップアップ式見開き体一体としての用途に加え、複数の多用途ポップアップ式見開き体を連接させることで、自由な組み合わせが可能な立体式の冊子としての用途を広げ、該冊子のカード用ホルダーに写真を挿入すると立体式アルバムに成り、もしくは該冊子のカード用ホルダーに収蔵した写真等のカードの内容を自作ストーリーの文面シートにして該冊子のカード用ホルダーの一部に挿入すると自家版の立体式物語本に成る。且多用途ポップアップ式見開き体一体の見開き頁、もしくは複数の多用途ポップアップ式見開き体を連接した前記冊子の見開き頁を開いて形成させた立体状の空間構成態を、保持装具を用いて保持、陳列して、立体式カード展示体とし、該立体式カード展示体のカード用ホルダーに、写真を挿入すると立体式フォトフレームに成り、もしくは画像カード等を挿入すると立体式インテリア装飾体と成る、等の用途に供することができる。上記により、本発明の多用途ポップアップ式見開き体は、利用用途を広げ、内容を更新でき、利用者が創意を活かせる効果を持つ。
【発明を実施するための最良の形態】
【０００６】
図１、図２に示すように、多用途ポップアップ式見開き体１の見開き頁２に該多用途ポップアップ式見開き体１の外形からはみ出すことなく、且つ損傷し得ない状態で、カード用ホルダー３を取り付けた第１装飾用シート４と、該第１装飾用シート４の周辺に配した第２装飾用シート５と、ポップアップ機構６を畳み込んで収蔵し、前記カード用ホルダー３を取り付けた第１装飾用シート４と、前記第２装飾用シート５は、前記ポップアップ機構６を介して前記多用途ポップアップ式見開き体１の見開き頁２に連結させておく。
【０００７】
図３に示すように、第１装飾用シート４の表側に取り付けるカード用ホルダー３には、該カード用ホルダー３の周縁部分８の前面に周縁装飾用シート７を備え、且前記周縁部分８の背面には塗布又は接合した取り付け材料９を設けておき、裏側に取り付けるカード用ホルダー３には、該カード用ホルダー３の周縁部分８の前面に取り付け材料９を塗布又は接合させ、且第１装飾用シート４裏側のカード用ホルダー３取り付け箇所の中央部分に、該カード用ホルダー３に挿入したカードが該第１装飾用シート４の表側から見える大きさの開口１０を設けて、カード用ホルダー３が第１装飾用シート４の表側と裏側のいずれか又は両側に取り付けられる構造を備える。
【０００８】
図２、図３、図４、図５に示すように、第１装飾用シート４と、第２装飾用シート５と、カード用ホルダー３に設けた周縁装飾用シート７と、見開き頁２の表面との、全て又はいずれかに、該カード用ホルダー３に挿入するカードの内容を予測した演出用装飾１１、例えば、誕生写真、入学写真、結婚写真、記念写真、イベント写真、商品写真、キャラクターカード、ゲームカード、カレンダーシート、メッセージシート等を予測して、該カードへの演出効果を高める形状、図柄、彩色、文字、凹凸加工、装飾片貼り付け加工等、を施し、挿入したカードを際立たせる演出をする。なお自作の演出用装飾を施せる仕様として、第１装飾用シート４と、カード用ホルダー３の周縁装飾用シート７と、第２装飾用シート５と、前記見開き頁２の表面とが、無地白色のものを備える。
【０００９】
図１、図２、図４、図５に示すように、多用途ポップアップ式見開き体１を開く動作から生じる力を利用して、該見開き頁２に畳み込んだポップアップ機構６を作動させ、該見開き頁２に畳み込んだカード用ホルダー３を取り付けた第１装飾用シート４と、第２装飾用シート５を、破損しない軌跡で、前方、左右、上下、等に移動、回転させて、立体状の空間構成態Ａ又はＢ又はＣを形成させる。この時、前記カード用ホルダー３に挿入したカードと、第１装飾用シート４と、前記第２装飾用シート５とは、相互の鑑賞に支障が生じない配置で立体状の空間構成態Ａ又はＢ又はＣを形成させる。
【００１０】
図２、図３、図４、図５に示すように、多用途ポップアップ式見開き体１のカード用ホルダー３は、写真１２、画像カード１３、文面シート１４等、のカード類を損傷なく挿出入できる構造を有し、多用途ポップアップ式見開き体の利用に当たっては、選択したカードの内容に相応しい演出用装飾１１を備えた多用途ポップアップ式見開き体１を、複数の多用途ポップアップ式見開き体１の中から選定して、選択したカードを挿入して用いる。多用途ポップアップ式見開き体１の鑑賞時、閲覧時に、該見開き頁２を開くと、挿入されたカードは、該カードに相応しい演出用装飾１１が施こされた、カード用ホルダーの周縁装飾用シート７と第１装飾用シート４と第２装飾用シート５と共にポップアップし、該見開き頁の表面に施された演出用装飾を背景にした立体状の空間構成態Ａ又はＢ又はＣとなって眼前に形成され、鑑賞者、閲覧者にダイナミックな感動を与える。且つ挿入したカードを差し替えることで、前記多用途ポップアップ式見開き体の内容を適宜更新することができる。
【００１１】
図２、図４に示すように、多用途ポップアップ式見開き体１のカード用ホルダー３に写真１２を挿入して用いると立体式写真帳１５に成り、もしくは写真１２や画像カード１３に加えて、メッセージの文面シート１４をそれぞれカード用ホルダー３に挿入すると立体式グリーティングカード１６に成り、さらに各種カードを適宜選択して挿入して用いることで、立体式案内状、立体式ポストカード、立体式キャラクターカード帳、立体式カレンダー、立体式パンフレット、立体式販売促進用ＰＯＰ、等の多様な用途に供することができる。
【００１２】
図６に示すように、多用途ポップアップ式見開き体１は、該多用途ポップアップ式見開き体一体としての用途のほかに、該多用途ポップアップ式見開き体を連接して冊子を構成し、立体式の冊子として多用途に供することができる。多用途ポップアップ式見開き体１の見開き頁２の左右頁の裏面に、接着材料１７を塗布又は取り付けておき、複数の多用途ポップアップ式見開体１を隣接させて該左右頁の裏面を交互に貼り合わせ、連接して冊子ａ１８を構成する。該冊子ａ１８は、複数の多用途ポップアップ式見開き体１を自由に組み合わせ、増設することができ、必要に応じて、該冊子ａ１８を別設の本体表紙２０と貼り合わせ、該冊子ａ１８の保護と体裁を整えることができる。
【００１３】
図７に示すように、取り外し可能な圧入クリップ装具２２を用いて、隣接させた複数の多用途ポップアップ見開き体１の左右頁を交互に重ね合わせ、該二重の頁２１を順次接合し連接して冊子ｂ１９を構成する。該冊子ｂ１９は、複数の多用途ポップアップ見開き体１を自由に組み替え、入れ替え、差込み、増設することができ、必要に応じて、該冊子ｂ１９を別設の本体表紙２０と接合させて、該冊子ｂ１９の保護と体裁を整えることができる。
【００１４】
図８、図９に示すように、冊子ａ１８又は冊子ｂ１９の見開き頁のカード用ホルダー３に写真１２を挿入すると、鑑賞時にダイナミックな感動を喚起する立体式アルバム２３と成り、もしくは見開き頁２のカード用ホルダー３に挿入した写真１２等のカードの内容をストーリーとした文面シート１４を作成して該見開き頁２のカード用ホルダー３の一部に挿入すると自家版の立体式物語本と成り、もしくは冊子ａ１８又は冊子ｂ１９を送呈する際に、該冊子ａ１８又は冊子ｂ１９のカード用ホルダー３に送り主の写真１２とメッセージの文面シート１４をそれぞれ挿入すると立体式グリーティング冊子に成る、等の用途に供することができる。
【００１５】
図５、図９に示すように、多用途ポップアップ式見開き体１一体の見開き頁、もしくは該多用途ポップアップ式見開き体１を連接した冊子ａ１８又は冊子ｂ１９の見開き頁２に形成された立体状の空間構成態Ｃ又はＥを、クリップ式又はバインダー式の保持装具２４を用いて、保持し、陳列して、立体式カード展示体とし、該立体式カード展示体のカード用ホルダー３に写真１２挿入すると、立体式フォトフレーム２５と成り、もしくは画像カード１３等のカードを挿入して用いると立体式インテリア装飾体と成る、等の用途に供することができる。なお前記保持装具２４を用いた立体式カード展示体は、図２、図８に示す立体状の空間構成態Ａ又はＤにおいても形成できる。  
【００１６】
多用途ポップアップ式見開き体に、LED等による光効果装置、及びメロディや音声等の音響効果装置、等を付加することで、本考案の多用途ポップアップ式見開き体１の利用用途をさらに拡げ、演出効果を一層高めることができる。
【図面の簡単な説明】
【００１７】
【図１】本発明に係わる多用途ポップアップ式見開き体の開き始めを示す図
【図２】本発明に係わる多用途ポップアップ式見開き体を垂直に開いた状態の図
【図３】本発明に係わる多用途ポップアップ式見開き体のカード用ホルダーを、第１装飾用シートに取り付ける状態を示す図
【図４】本発明に係わる小版の多用途ポップアップ式見開き体を開いた状態の図
【図５】本発明に係わる多用途ポップアップ式見開き体を水平に開いた状態の図
【図６】本発明に係わる多用途ポップアップ式見開き体を連接して、冊子ａとするプロセスを示す図
【図７】本発明に係わる多用途ポップアップ式見開き体を連接して、冊子ｂとするプロセスを示す図
【図８】本発明に係わる多用途ポップアップ式見開き体を連接した冊子ａを、垂直に開いた状態の図
【図９】本発明に係わる多用途ポップアップ式見開き体を連接した冊子ａを、水平に開いた状態の図
【符号の説明】
【００１８】
１  多用途ポップアップ式見開き体
２  見開き頁
３  カード用ホルダー
４  第１装飾用シート
５  第２装飾用シート
６  ポップアップ機構
７  周縁装飾用シート
８  周縁部分
９  取り付け材料
１０  開口
１１  演出用装飾
１２  写真
１３  画像カード
１４  文面シート
１５  立体式写真帳
１６  立体式グリーティングカード
１７  接着材料
１８  冊子ａ
１９  冊子ｂ
２０  本体表紙
２１  二重の頁  
２２  圧入クリップ装具
２３  立体式アルバム
２４  保持装具
２５  立体式フォトフレーム
Ａ  多用途ポップアップ式見開き体の、垂直形態の立体状の空間構成態
Ｂ  小版の多用途ポップアップ式見開き体の、垂直形態の立体状の空間構
成態
Ｃ  多用途ポップアップ式見開き体の、水平形態の立体状の空間構成態
Ｄ  多用途ポップアップ式見開き体を連接した冊子ａの、垂直形態の立体
状の空間構成態
Ｅ  多用途ポップアップ式見開き体を連接した冊子ａの、水平形態の立体
状の空間構成態
【要約】
【課題】本発明は、従前のポップアップ式冊子の欠点を改善して、用途を広げ、内容の更新ができ、利用者の創意を活かせる見開き体を提供するものである。
【解決手段】見開き体の見開き頁２にカード用ホルダー３を収蔵し、写真１２等のカード類を選択して挿入し、入れ替えることで、用途の拡大と内容の更新を可能とし、且つ挿入したカードを周囲の演出用装飾１１と共にポップアップさせて立体状の空間構成態を形成させ、鑑賞時に感動を与える。前記見開き体は、一体としての用途のほかに、連接させて構成した立体式の冊子の用途と、立体状の空間構成態を保持した立体式カード展示体の用途を供し、立体式グリーティングカード１６、立体式アルバム２３、立体式フォトフレーム２５、立体式インテリア装飾体、自家版の立体式物語本、立体式パンフレット、等の多様な用途を供する。
【選択図】図２【図１】
0004137991.tif 000002
【図２】
0004137991.tif 000003
【図３】
0004137991.tif 000004
【図４】
0004137991.tif 000005
【図５】
0004137991.tif 000006
【図６】
0004137991.tif 000007
【図７】
0004137991.tif 000008
【図８】
0004137991.tif 000009
【図９】
0004137991.tif 000010